【手続補正書】
【提出日】平成15年6月13日(2003.6.13)
【手続補正１】
【補正対象書類名】明細書
【補正対象項目名】特許請求の範囲
【補正方法】変更
【補正の内容】
【特許請求の範囲】
【請求項１】
第１の色のインクと当該第１の色のインクと接触することで前記第１の色のインクの記録媒体への定着性を向上させる第２の色のインクを記録媒体上の同一領領内で少なくとも一部を接触させて画像を記録するインクジェット記録方法であって、
前記第１の色のインクの記録に使用される第１濃度データと前記第２の色のインクの記録に使用される第２濃度データとを入力する工程と、
前記入力された第１濃度データに基づき前記記録ヘッドから前記第１の色のインクを所定の領域に対して吐出する第１の吐出工程と、
前記所定の領域に対応する前記入力された第１および第２濃度データに基づいて、前記所定の領域に対応する前記入力された第２濃度データの濃度レベルを変更するか否かを決定する工程と、
前記濃度レベルを変更することが決定された場合、前記濃度レベルが変更された第２濃度データに基づいて前記第２の色のインクを前記所定の領域に対して吐出し、前記濃度レベルを変更しないことが決定された場合、前記入力された第２濃度データに基づいて前記第２の色のインクを前記所定の領域に対して吐出する第２の吐出工程とを有し、
前記第１の吐出工程で吐出された第１の色のインクと前記第２の吐出工程で吐出された第２の色のインクは、前記第１の色のインクのドット径Ｘと前記第２の色のインクのドット径ＹとがＸ＞Ｙなる関係を満たすようにして前記同一領域内で接触することを特徴とするインクジェット記録方法。
【請求項２】
第１の色のインクと当該第１の色のインクと接触することで前記第１の色のインクの記録媒体への定着性を向上させる第２の色のインクを記録媒体上の同一領領内で少なくとも一部を接触させて画像を記録するインクジェット記録装置であって、
前記第１の色のインクの記録に使用される第１濃度データと前記第２の色のインクの記録に使用される第２濃度データとを入力する入力手段と、
前記所定の領域に対応する前記入力された第１濃度データに基づき、前記記録ヘッドから前記第１の色のインクを所定の領域に対して吐出するように制御する第１制御手段と、
前記所定の領域に対応する前記入力された第１および第２濃度データに基づいて、前記所定の領域に対応する前記入力された第２濃度データの濃度レベルを変更するか否かを決定する決定手段と、
前記濃度レベルを変更することが決定された場合、前記濃度レベルが変更された第２濃度データに基づいて前記第２の色のインクを前記所定の領域に対して吐出するように制御し、前記濃度レベルを変更しないことが決定された場合、前記入力された第２濃度データに基づいて前記第２の色のインクを前記所定の領域に対して吐出するように制御する第２制御手段とを有し、
前記第１の制御手段により吐出された第１の色のインクと前記第２制御手段により吐出された第２の色のインクは、前記第１の色のインクのドット径Ｘと前記第２の色のインクのドット径ＹとがＸ＞Ｙなる関係を満たすようにして前記同一領域内で接触することを特徴とするインクジェット記録装置。
【請求項３】
第１の色のインクと前記第１の色のインクと接触することで前記第１の色のインクの記録媒体への定着性を向上させる第２の色のインクとを用い、入力濃度データに応じて、前記第１の色のインクと前記第２の色のインクを記録ヘッドから吐出して記録媒体上に画像を記録するインクジェット記録装置であって、
第１のデータ形式の濃度データに基づいた前記第１の色のインクが記録される領域と同じ領域に対して、第２のデータ形式の濃度データに基づいた前記第２の色のインクが記録されるか否かを判断する判断手段と、
前記判断工程において前記第２の色のインクが記録されないと判断された場合、前記領域に前記第２の色のインクが記録されるように、前記第２のデータ形式の濃度データの濃度レベルを上げる濃度データ変更手段と、
前記第１の色のインクドット径Ｘと前記第２の色のインクドット径ＹがＸ＞Ｙなる関係を満たすようにして、前記記録媒体上の同一領域内で前記第１の色のインクドットと前記第２の色のインクドットを重ねて記録するように制御する記録制御手段と、を備えることを特徴とするインクジェット記録装置。
【請求項４】
入力濃度データに応じて、少なくとも第１の色のインクと第２の色のインクを記録ヘッドから吐出して記録媒体上に画像を記録するインクジェット記録装置であって、
第１の色に対応する濃度データに基づく記録がなされる領域と同じ領域に対して記録される前記第２の色に対応する濃度データが存在するか否かを判断する判断手段と、
前記判断手段において前記第２の色に対応する濃度データが存在しないと判断されたとき、前記第２の色に対応する濃度データの濃度レベルを上げる濃度データ変更手段と、
前記データ変更手段において変更された濃度データ基づいて第２の色のドットデータを生成する第１のドットデータ生成手段と、
前記入力された第１の色に対応する濃度データに基づいて第１の色のドットデータを生成する第２のドットデータ生成手段とを備え、
前記第１の色のドットデータによる第１の色のインクドットの径を前記第２の色のドットデータによる第２の色のインクドットの径よりも大きくして前記記録媒体上の同じ領域に前記第１の色のインクドットと前記第２の色のインクドットを重ねて記録するように制御する記録制御手段と、
を備えることを特徴とするインクジェット記録装置。
【請求項５】
入力濃度データに応じて、第１の色のインクと第２の色のインクを記録ヘッドから吐出して記録媒体上に画像を記録するインクジェット記録方法であって、
前記記録媒体に対して第１の色のインクを吐出する工程と、
前記第１の色のインクと接触することで前記第１の色のインクの記録媒体への定着性を向上させる第２の色のインクを前記記録媒体に吐出する工程と、
第１のデータ形式の濃度データに基づいた前記第１の色のインクが記録される領域と同じ領域に対して、第２のデータ形式の濃度データに基づいた前記第２の色のインクが記録されるか否かを判断する判断工程と、
前記判断工程において前記第２の色のインクが記録されないと判断された場合、前記領域に前記第２の色のインクが記録されるように、前記第２のデータ形式の濃度データの濃度レベルを上げる濃度データ変更工程とを備え、
前記第１の色のインクドット径Ｘと前記第２の色のインクドット径ＹがＸ＞Ｙなる関係を満たすようにして、前記記録媒体上の同一領域内で前記第１の色のインクドットと前記第２の色のインクドットを重ねて記録することを特徴とするインクジェット記録方法。
【請求項６】
前記第２の色に対応する濃度データの濃度レベルが所定以上の濃度レベルである場合は、前記第２の色に対応する濃度データの濃度レベルを上げる処理を行わないことを特徴とする請求項５記載のインクジェット記録方法。
【請求項７】
入力濃度データに応じて、少なくとも第１の色のインクと第２の色のインクを記録ヘッドから吐出して記録媒体上に画像を記録するインクジェット記録方法であって、
第１の色に対応する濃度データに基づく記録がなされる領域と同じ領域に対して記録される前記第２の色に対応する濃度データが存在するか否かを判断する判断工程と、
前記判断工程において前記第２の色に対応する濃度データが存在しないと判断されたとき、前記第２の色に対応する濃度データの濃度レベルを上げる濃度データ変更工程と、
前記データ変更工程において変更された濃度データ基づいて第２の色のドットデータを生成する第１のドットデータ生成工程と、
前記入力された第１の色に対応する濃度データに基づいて第１の色のドットデータを生成する第２のドットデータ生成工程とを備え、
前記第１の色のドットデータによる第１の色のインクドットの径を前記第２の色のドットデータによる第２の色のインクドットの径よりも大きくして前記記録媒体上の同じ領域に前記第１の色のインクドットと前記第２の色のインクドットを重ねて記録することを特徴とするインクジェット記録方法。
【請求項８】
前記インクドット径の関係が、前記第１の色のインクドット径Ｘ：前記第２の色のインクドット径Ｙ＝Ｎ：１（Ｎは２以上の自然数）なる関係を満たすことを特徴とする請求項５乃至７のいずれかに記載のインクジェット記録方法。
【請求項９】
前記第１の色のインクを吐出するための記録ヘッドにおけるノズルピッチと前記第２の色のインクを吐出するための記録ヘッドにおけるノズルピッチとが異なることを特徴とする請求項５乃至８のいずれかに記載のインクジェット記録方法。
【請求項１０】
前記ノズルピッチの関係は、前記第１の色のインクを吐出するための記録ヘッドにおけるノズルピッチ：前記第２の色のインクを吐出するための記録ヘッドにおけるノズルピッチ＝Ｎ：１（Ｎは２以上の自然数）なる関係を満たすことを特徴とする請求項９記載のインクジェット記録方法。
【請求項１１】
前記第１の色のインクを吐出するための記録ヘッドにおけるノズル径と前記第２の色のインクを吐出するための記録ヘッドにおけるノズル径とが異なることを特徴とする請求項５乃至１０のいずれかに記載のインクジェット記録方法。
【請求項１２】
前記ノズル径の関係が、前記第１の色のインクを吐出するための記録ヘッドにおけるノズル径：前記第２の色のインクを吐出するための記録ヘッドにおけるノズル径＝Ｎ：１（Ｎは２以上の自然数）なる関係を満たすことを特徴とする請求項１１記載のインクジェット記録方法。
【請求項１３】
前記第１の色のインクドットによる記録画像は相対的に低解像度であり、前記第２の色のインクドットによる記録画像は相対的に高解像度であることを特徴とする請求項５乃至１２のいずれかに記載のインクジェット記録方法。
【請求項１４】
前記第１の色のインクはブラックインクであり、前記第２の色のインクはカラーインクであることを特徴とする請求項５乃至１３のいずれかに記載のインクジェット記録方法。
【請求項１５】
前記カラーインクは、シアンインク、マゼンタインク、イエローインクから選ばれた少なくとも１種であることを特徴とする請求項１４記載のインクジェット記録方法。
【請求項１６】
前記ブラックインクがアニオン性であり、且つ前記カラーインクがカチオン性であることを特徴とする請求項１４または１５記載のインクジェット記録方法。
【請求項１７】
前記ブラックインクがカチオン性であり、且つ前記カラーインクがアニオン性であることを特徴とする請求項１４または１５記載のインクジェット記録方法。
【請求項１８】
前記濃度データ変更工程では、前記記録媒体上の所定領域の近傍の前記第２の色に対応する濃度データの濃度レベルを下げ、下げた濃度レベル分だけ前記所定領域の前記第２の色に対応する濃度データの濃度レベルを上げることを特徴とする請求項５乃至１３のいずれかに記載のインクジェット記録方法。
【請求項１９】
入力濃度データに応じて、少なくとも第１の色のインクと、当該第１の色のインクと接触することで前記第１の色のインクの記録媒体への定着性を向上させる第２の色のインクを記録ヘッドから吐出して記録媒体上の同一領域において前記第１の色のインクと第２の色のインクを接触させるに際し、前記第１の色のインクのドット径を前記第２の色のインクのドット径よりも大きくして前記同一領域内で接触させて画像を記録するインクジェット記録装置を制御するための処理を実行するプログラムコードが格納されたコンピュータ可読記憶媒体であって、
前記プログラムコードは、第１の色に対応する濃度データに基づく記録がなされる領域と同じ領域に対して記録される前記第２の色に対応する濃度データが存在するか否かを判断する判断工程のコードと、
前記判断工程のコードにおいて前記第２の色に対応する濃度データが存在しないと判断されたとき、前記第２の色に対応する濃度データの濃度レベルを上げる濃度データ変更工程のコードと、
前記データ変更工程のコードにおいて変更された濃度データ基づいて第２の色のドットデータを生成する第１のドットデータ生成工程のコードと、
前記入力された第１の色に対応する濃度データに基づいて第１の色のドットデータを生成する第２のドットデータ生成工程のコードと、
を含むことを特徴とするコンピュータ可読記憶媒体。